(57)【要約】【課題】  工場建屋内の，例えばコンベア上で組立作業や実装作業等を行なうために工場雰囲気に開放されたコンベア部分作業箇所に必要に応じて面積を拡大できるようにしたクリーンブースを提供する。【解決手段】  基準枠をなす天井フレーム１０の前後にそれぞれ延長フレーム２０を配置し，天井フレーム１０の左右上枠１２と延長フレーム２０の延長上枠２４とをそれぞれ前後に対向させ，これらの間に介設したスライドレール３２によって相互にスライド自在に連結して，延長フレーム２０の端部上枠２３の長手方向両端に設置した一対の支柱２６により四隅のコーナーを支持することによって，天井フレーム１０の前後方向に向けて延長フレーム２０をスライド延長自在として天井フレーム１０を基準とする最小面積と前後の延長フレーム２０をスライドした最大面積との間で面積拡大を可能とする。【選択図】        図５
2006028983.tif 000002
【特許請求の範囲】
【請求項１】
前後左右の上枠を平面矩形に枠組みした天井フレームと，一対の支柱によって端部上枠を支持するとともに該端部上枠の長手方向両端から直交方向に向けて対向一対の延長上枠を突出して平面コ字状に枠組みし上記天井フレーム前後に配置した一対の延長フレームとを備え，天井フレームにおける左右の上枠に対して各延長フレームにおける対向一対の延長上枠をスライド自在に連結して上記延長フレームの一対の支柱によって四隅コーナーを支持して該天井フレームを基準枠としてその前後方向に延長フレームをスライド延長自在としてなることを特長とするクリーンブース。
【請求項２】
前後左右の上枠を平面矩形に枠組みし前後一方の上枠の長手方向片側を基準支柱によって支持した天井フレームと，長手方向片側の片側支柱によって端部上枠を支持するとともに該端部上枠の長手方向両端から直交方向に向けて対抗一対の延長上枠を突出して平面コ字状に枠組みし上記天井フレームの前後一方に配置した延長フレームと，同じく端部上枠長手方向両端を一対の支柱によって支持するとともに該端部上枠を長手方向に伸縮自在として上記天井フレームの左右一方に配置した交差延長フレームとを備え，上記天井フレームにおける左右上枠に延長フレームの対向一対の延長上枠を，上記天井フレームにおける前後一方の上枠及び延長フレームにおける端部上枠に交差延長フレームの対向一対の延長上枠をそれぞれスライド自在に連結することによって天井フレームの基準支柱，延長フレームの片側支柱及び交差延長フレームの一対の支柱によって四隅コーナーを支持し上記天井フレームを基準枠としてその前後方向に延長フレームを且つ左右方向に交差延長フレームをスライド延長自在としてなることを特徴とするクリーンブース。
【請求項３】
上記天井フレームと延長フレーム間に，前後一方の端部上枠と該端部上枠の長手方向両端から直交方向に向けて対向一対の延長上枠を突出して平面コ字状に枠組みした延長天井フレームを介設し，上記天井フレームにおける左右の上枠に延長天井フレームの対向一対の延長上枠を，該延長天井フレームの対向一対の延長上枠に延長フレームの対向一対の延長上枠をそれぞれスライド自在に連結することによって上記天井フレームの前後方向に延長天井フレームを追加的にスライド延長自在としてなることを特徴とする請求項２に記載のクリーンブース。
【請求項４】
上記スライド自在の連結を，該連結する上枠間に多数のベアリングを長手方向に有するスライドレールを配置するとともに上枠に設置したレール受によって該スライドレールを移動自在に支持することによって行なってなることを特徴とする請求項１，２又は３に記載のクリーンブース。
【発明の詳細な説明】
【技術分野】
【０００１】
本発明は，工場建屋内のコンベア上で組立作業や実装作業等を行なうために工場雰囲気に開放されたコンベア部分作業箇所に部分的に設置使用するように用いられるクリーンブースに関する。
【背景技術】
【０００２】
この種クリーンブースは，例えば前後左右の上枠を平面矩形に枠組みした天井フレームを，その四隅コーナーの支柱によって支持し，天井フレームの一部にファンフィルターユニットを載置固定し天井フレームの残余部分及び四周を塩化ビニール等樹脂製の厚肉シートで被覆し，出入口においては該シートを重合してその開閉可能としたものとされている。
【０００３】
【特許文献１】特開平４−３５３１６９号公報
【発明の開示】
【発明が解決しようとする課題】
【０００４】
この場合クリーンブースとして性能的に過不足のないものとすることができるが，四隅コーナーの支柱が固定的でその設置面積が固定的であるために，作業箇所の面積に応じて個別に製作すること基本的に必要であり，また例えばコンベア用に使用して，該コンベア上の半製品の種類変更や作業効率の向上のためにその面積の拡大等を行なおうとしても面積変更に対応し得ないという問題点が残されている。
【０００５】
本発明はかかる事情に鑑みてなされたもので，その解決課題とするところは，基準面積の使用のみならずその面積拡大を可能とすることによって標準化を可能とするとともに工場の作業面積の変更に対応して使い勝手を向上し得るようにしたクリーンブースを提供するにある。
【課題を解決するための手段】
【０００６】
上記課題に添って本発明は天井フレームの面積を最小面積とするとともに該天井フレームを基準にしてこれにスライド延長自在のフレームを配置することによって可及的容易に面積を拡大し得るようにしたものであって，即ち請求項１に記載の発明を，前後左右の上枠を平面矩形に枠組みした天井フレームと，一対の支柱によって端部上枠を支持するとともに該端部上枠の長手方向両端から直交方向に向けて対向一対の延長上枠を突出して平面コ字状に枠組みし上記天井フレーム前後に配置した一対の延長フレームとを備え，天井フレームにおける左右の上枠に対して各延長フレームにおける対向一対の延長上枠をスライド自在に連結して上記延長フレームの一対の支柱によって四隅コーナーを支持して該天井フレームを基準枠としてその前後方向に延長フレームをスライド延長自在としてなることを特長とするクリーンブースとしたものである。
【０００７】
請求項２に記載の発明は，面積の拡大を前後方向のみならず左右方向にもなし得るように面積拡大の自由度を向上するように，これを，前後左右の上枠を平面矩形に枠組みし前後一方の上枠の長手方向片側を基準支柱によって支持した天井フレームと，長手方向片側の片側支柱によって端部上枠を支持するとともに該端部上枠の長手方向両端から直交方向に向けて対抗一対の延長上枠を突出して平面コ字状に枠組みし上記天井フレームの前後一方に配置した延長フレームと，同じく端部上枠長手方向両端を一対の支柱によって支持するとともに該端部上枠を長手方向に伸縮自在として上記天井フレームの左右一方に配置した交差延長フレームとを備え，上記天井フレームにおける左右上枠に延長フレームの対向一対の延長上枠を，上記天井フレームにおける前後一方の上枠及び延長フレームにおける端部上枠に交差延長フレームの対向一対の延長上枠をそれぞれスライド自在に連結することによって天井フレームの基準支柱，延長フレームの片側支柱及び交差延長フレームの一対の支柱によって四隅コーナーを支持し上記天井フレームを基準枠としてその前後方向に延長フレームを且つ左右方向に交差延長フレームをスライド延長自在としてなることを特徴とするクリーンブースとしたものである。
【０００８】
請求項３に記載の発明は，上記に加えて，更にその前後方向の面積拡大をより広くなし得るものとするように，これを，上記天井フレームと延長フレーム間に，前後一方の端部上枠と該端部上枠の長手方向両端から直交方向に向けて対向一対の延長上枠を突出して平面コ字状に枠組みした延長天井フレームを介設し，上記天井フレームにおける左右の上枠に延長天井フレームの対向一対の延長上枠を，該延長天井フレームの対向一対の延長上枠に延長フレームの対向一対の延長上枠をそれぞれスライド自在に連結することによって上記天井フレームの前後方向に延長天井フレームを追加的にスライド延長自在としてなることを特徴とする請求項２に記載のクリーンブースとしたものである。
【０００９】
請求項４に記載の発明は，上記連結対象の上枠におけるスライド自在の連結を可及的簡易且つ確実になし得るものとするように，これを，上記スライド自在の連結を，該連結する上枠間に多数のベアリングを長手方向に有するスライドレールを配置するとともに上枠に設置したレール受によって該スライドレールを移動自在に支持することによって行なってなることを特徴とする請求項１，２又は３に記載のクリーンブースとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，天井フレームの面積を最小面積とするとともに該天井フレームを基準にしてこれにスライド延長自在のフレームを配置することによって可及的容易に面積を拡大し得るようにすることによって，基準面積の使用のみならずその面積拡大の使用を可能とすることによって標準化を可能とするとともに向上の作業面積の変更に対応して使い勝手を向上し得るようにしたクリーンブースを提供することができる。
【００１２】
請求項２に記載の発明は，更に面積の拡大を前後方向のみならず左右方向にもなし得るように面積拡大の自由度を向上したコンベア用局所クリーンブースとすることができる。
【００１３】
請求項３に記載の発明は，上記に加えて，更にその前後方向の面積拡大をより広くなし得るものとしたクリーンブースとすることができる。
【００１４】
請求項４に記載の発明は，上記連結対象の上枠におけるスライド自在の連結を可及的簡易且つ確実になし得るものとしたクリーンブースとすることができる。
【発明を実施するための最良の形態】
【００１５】
以下図面の例に従って本発明を更に具体的に説明すれば，図１乃至図８において，Ａは，例えば工場のコンベアに使用してその局所用としたクリーンブースであり，該クリーンブースＡは，前後左右の上枠１１，１２を平面矩形に枠組みした天井フレーム１０と，一対の支柱２６によって端部上枠２３を支持するとともに該端部上枠２３の長手方向両端から直交方向に向けて対向一対の延長上枠２４を突出して平面コ字状に枠組みし上記天井フレーム１０前後に配置した一対の延長フレーム２０とを備え，上記延長フレーム２０の一対の支柱２６によって四隅コーナーを支持して該天井フレーム１０を基準枠としてその前後方向に延長フレーム２０をスライド延長自在としたものとしてある。
【００１６】
本例のクリーンブースＡは，例えばアルミ押出形材を用いて天井フレーム１０と延長フレーム２０を形成することによってアルミ製のフレームを用い，上記天井フレーム１０にファンフィルターユニット１を載置固定し，その側面の四周を塩化ビニール製の厚肉シート２で被覆し，該シート２をオーバーラップ状に重合することによって該部分を出入口として開閉可能としてある。
【００１７】
本例にあって平面矩形の天井フレーム１０は，上記ファンフィルターユニット１を嵌合固定するように上面を開口した矩形枠としてあり，このとき前後の上枠１１を中空材，左右の上枠１２を断面コ字状のチャンネル材とし，左右の上枠１２の上下フィン両端を切欠いて，前後の上枠１１長手方向両端に左右の上枠１２における切欠残存の垂直フィン部分を突き合せて前後の上枠１１におけるタッピングホールにネジを螺入してその枠組み固定を行なったものとしてある。
【００１８】
また平面コ字状にして一対の延長フレーム２０は，同じくその端部上枠２３を中空材，延長上枠２４をコ字状のチャンネル材とし，同様に端部上枠２３の両端に延長上枠２４をネジによって枠組み固定を行なったものとしてある。
【００１９】
このとき一対の延長フレーム２０の各端部上枠２３の長さを天井フレーム１０前後の上枠１１より幾分長くし，延長フレーム２０における一対の延長上枠２４が天井フレーム１０における左右の上枠２４の前後外側にあって該左右の上枠１２と衝接することなく該左右の上枠１２と近接するように配置してあり，また上記天井フレーム１０における上記左右の上枠１２は，その溝を前後外向きに開口するようにするとともに延長フレーム２０における延長上枠２４は，その溝を前後内向きに開口するようにして，該溝がそれぞれ対向するように配置してある。
【００２０】
一対の延長フレーム２０は，その各端部上枠２３の両端に中空材による支柱２６を設置し，該支柱２６によって各一対の延長上枠２４を同高の高さとしてあり，このとき支柱２６は各端部上枠２３の両端と支柱２６上端間に接続金具２５を配置し，該接続金具２５を端部上枠２３及び支柱２６にネジ止めすることによってその設置を行ったものとしてある。
【００２１】
また各支柱２６にはその下端に高さ調整用のアジャスター２７とロック自在のキャスター２８を備え，キャスター２８によって延長フレーム２０の移動とスライドを行ない，アジャスター２７によって高さ調整の水平出しと支柱２６の定位置の支持をなし得るようにしてある。
【００２２】
天井フレーム２０を基準枠とする延長フレーム２０の前後方向へのスライド延長は，上記天井フレーム１０における左右の上枠１２に対して各延長フレーム２０における対向一対の延長上枠２４をスライド自在に連結することによってなし得るようにしてあり，本例にあって該スライド自在の連結は，これを，上記スライド自在の連結を，該連結する上枠１２，２４間に多数のローラーを長手方向に有するスライドレール３２を配置するとともに上枠１２，２４に設置したレール受３１によって該スライドレール３２を移動自在に支持することによって行なったものとしてある。
【００２３】
即ち本例にあっては天井フレーム１０における左右の上枠１２と延長フレーム２０における延長上枠２４とは，上記のとおりそれぞれ断面コ字状のチャンネル材を用いてその溝を対向するように配置してあるから，該左右の上枠１２と延長上枠２４の溝内にベース金具３０を介して断面Ｃ字状のレール受３１をそれぞれ設置し，該レール受３１をスライドレール３２をカバーするように配置することによってスライドレール３２のベアリング３３，本例にあってはスライドレールの長手方向に連続的に配置したベアリング３３に対して左右の上枠１２と延長上枠２４がスライドレールを介して相互に移動自在とするようにそのスライド自在の連結を行ってあり，このとき本例にあっては延長上枠２４の外側に設置した上記厚肉シート２の吊り支持用Ｌ字状の押え枠２ａの長手方向端部，特に延長上枠２４長手方向非端部上枠側に外側から回転操作可能のネジによるストッパー３４を設置し，そのネジ先端を延長上枠２４の側面に圧接することによって，その相互の位置関係を固定可能としてある。
【００２４】
従って本例のクリーンブースＡは，その天井フレーム１０を基準とする面積を，例えば前後幅７０ｃｍ程度×左右幅９０ｃｍ程度の長方形のものとし，延長上枠２４を該左右幅以下の適宜な長さ，例えば４０〜５０ｃｍ程度の長さとすることによって，前後幅×左右幅を最小面積とする一方，前後一方又は双方の延長フレーム２０をスライド延長することによって，その分左右幅を，例えば１．５ｍ乃至２ｍ程度にまで長くして，最小面積を前後に向けて所定面積に拡大することができる。なお拡大した面積分の天井を上記厚肉シート２等によって適宜閉塞することが必要である。
【００２５】
図９乃至図１１は，面積の拡大を上記前後方向のみならず左右方向にもなし得るように面積拡大の自由度を向上した例である。即ち本例のクリーンブースＡは，前後左右の上枠１２を平面矩形に枠組みし前後一方の上枠１１の長手方向片側を基準支柱２６ａによって支持した天井フレーム１０と，長手方向片側の片側支柱２６ｂによって端部上枠２３を支持するとともに該端部上枠２３の長手方向両端から直交方向に向けて対抗一対の延長上枠２４を突出して平面コ字状に枠組みし上記天井フレーム１０の前後一方に配置した延長フレーム２０と，同じく端部上枠２３長手方向両端を一対の支柱２６によって支持するとともに該端部上枠２３を長手方向に伸縮自在として上記天井フレーム１０の左右一方に配置した交差延長フレーム２１とを備え，天井フレーム１０の基準支柱２６ａ，延長フレーム２０の片側支柱２６ｂ及び交差延長フレーム２１の一対の支柱２６によって四隅コーナーを支持し上記天井フレーム１０を基準枠としてその前後方向に延長フレーム２０を且つ左右方向に交差延長フレーム２１をスライド延長自在としてある。
【００２６】
このとき天井フレーム１０を基準枠とする延長フレーム２０の前後方向へのスライド延長，交差延長フレーム２１の左右方向へのスライド延長は，上記天井フレーム１０における左右の上枠１２に延長フレーム２０の対向一対の延長上枠２４を，また上記天井フレーム１０における前後一方の上枠１１及び延長フレーム２０における端部上枠２３に交差延長フレーム２１の対向一対の延長上枠２４をそれぞれスライド自在に連結することによってなし得るようにしてあり，本例にあって該スライド自在の連結は，上記と同様に該連結する上枠１２，２４並びに１１，２４と２３，２４間に多数のローラー３３を長手方向に有するスライドレール３２を配置するとともに各上枠１１，１２，２３，２４に設置したレール受３０によって該スライドレール３２を移動自在に支持することによって行なってある。即ち本例にあってスライドレール３２の配置は，天井フレーム１０左右の上枠１２と延長フレーム２０の対向一対の延長上枠２４間，天井フレーム１０の前後一方の上枠１１と交差延長フレーム２１の一方の上枠２４間及び延長フレーム２０の端部上枠２３と交差延長フレーム２１の他方の上枠２４間の合計４箇所における上枠間に上記例と同様にチャンネル材の溝の向きを規制することによってそれぞれの上枠１１，２４並びに１２，２４と２３，２４の各溝を対向配置し，同じく該各上枠の溝内に同様にベース金具３０を介して断面Ｃ字状のレール受３１をそれぞれ設置して，該レール受３１をスライドレール３２をカバーするように配置して，スライドレール３２のベアリング３３に対して各上枠１１，２４並びに１２，２４と２３，２４がそれぞれスライドレール３２を介して相互に移動自在とするようにそれぞれスライド自在の連結を行ってある。
【００２７】
従って本例のクリーンブースＡは，その天井フレーム１０を基準とする面積を，例えば前後幅１．５ｍ程度×左右幅１．５程度の正方形のものとすることによって同じく該前後幅×左右幅を最小面積とする一方，各延長上枠２４を前後幅以下又は左右幅以下の適宜な長さ，例えば３０〜４０ｃｍ程度の長さとすることによって，その分前後及び左右幅を，例えば１．８ｍ乃至２ｍ程度にまで長くして，最小面積を前後左右に向けて所定面積に拡大することができる。
【００２８】
なお本例にあって天井フレーム１０は中間枠材を架設してファンフィルターユニット１の載置固定を可能とするとともに該ファンフィルターユニット１によって天井フレーム１０の上面が塞がれない部分が生じることになるから，該天井フレーム１０に同様に厚肉シート２等によって該部分を追加的に被覆し，また延長した面積分の天井を上記例と同じく適宜閉塞することが必要である。
【００２９】
本例のクリーンブースＡの基本構成，天井フレーム１０，延長フレーム２０及び交差延長フレーム２１の枠組み固定，その上枠１１，１２，延長上枠２３，２４，延長天井フレーム２１を除いて設置した基準支柱２６ａと片側支柱２６ｂの各フレームへの固定，延長天井フレーム２１に対する一対の支柱２６の固定等，その余の構成は上記例と変らないので，その重複する説明を省略する。
【００３０】
図示した例は以上のとおりとしたが，上記天井フレームと延長フレーム間に，前後一方の端部上枠と該端部上枠の長手方向両端から直交方向に向けて対向一対の延長上枠を突出して平面コ字状に枠組みした延長天井フレームを介設し，上記天井フレームにおける左右の上枠に延長天井フレームの対向一対の延長上枠を，該延長天井フレームの対向一対の延長上枠に延長フレームの対向一対の延長上枠をそれぞれスライド自在に連結することによって上記天井フレームの前後方向に延長天井フレームを追加的にスライド延長自在として，上記前後左右の面積拡大を行なうについて，その前後方向の面積拡大を，延長天井フレームと延長フレームのスライド幅の合計の面積分とすること，この場合のスライド自在の連結を上記と同様にスライドレールを介設して行なうようにすることを含めて，本発明の実施に当って，クリーンブース，天井フレーム，延長フレーム，支柱，必要に応じて用いる交差延長フレーム，延長天井フレーム等の具体的形状，材質，構造，用途，スライド自在の連結を含むこれらの関係，これらに対する付加等は上記発明の要旨に反しない限り様々な形態のものとすることができ，もとより上記例のものに限定するものではない。
【図面の簡単な説明】
【００３１】
【図１】クリーンブースフレームの正面図である。
【図２】クリーンブースフレームの側面図である。
【図３】クリーンブース最小面積時におけるフレームの平面図である。
【図４】クリーンブース最大面積時におけるフレームの平面図である。
【図５】クリーンブース最大面積時におけるフレームの斜視図である。
【図６】天井フレームの左右の上枠と延長フレームの延長上枠の関係を示す平面図である。
【図７】天井フレームの左右の上枠と延長フレームの延長上枠の関係を示す縦断面図である。
【図８】天井フレームの左右の上枠と延長フレームの延長上枠の関係を示す側面図である。
【図９】他の例のクリーンブース最小面積時におけるフレームの平面図である。
【図１０】クリーンブース最大面積時におけるフレームの平面図である。
【図１１】クリーンブース最大面積時におけるフレームの斜視図である。
【符号の説明】
【００３２】
Ａ  クリーンブース
１０  天井フレーム
１１  前後上枠
１２  左右上枠
２０  延長フレーム
２１  交差延長フレーム
２３  端部上枠
２４  延長上枠
２６  支柱
２６ａ  基準支柱
２６ｂ  片側支柱
３２  スライドレール
【図１】
2006028983.tif 000003
【図２】
2006028983.tif 000004
【図３】
2006028983.tif 000005
【図４】
2006028983.tif 000006
【図５】
2006028983.tif 000007
【図６】
2006028983.tif 000008
【図７】
2006028983.tif 000009
【図８】
2006028983.tif 000010
【図９】
2006028983.tif 000011
【図１０】
2006028983.tif 000012
【図１１】
2006028983.tif 000013